(57)【要約】セルラー電話機は、世界中に約５億人の使用者を抱えかつ毎年約３０万人の加入者を生み出すように、多くの子供を含め、ビジネス及び私的会話のためのあらゆる人口セクターに、より一般的かつポピュラーになってきている。使用者の頭の近くに保持されたセルラー・アンテナによって伝達されるマイクロ波は、例えば脳や目の腫瘍等のような、使用者に危険な影響を持っているのではないか、特に恐らく子供においては一層そうではないかということが、危惧され、また既にそのことのある積み重ねられた証拠が存在する。これらの問題を避けようとする最も共通の方法の一つは、マイクロホンを備えたパーソナルイヤホンの使用である。しかし、２０００年４月４日に、イギリスの消費者雑誌「Ｗｈｉｃｈ」によって行われた研究が実際、イヤホン及びそのケーブルは、アンテナの役割を果たし、そしてまた使用者をマイクロ波放射にさらすことができるということを発見したということが、全世界的に報じられた。この発明は、セルラー電話機及び同様の装置においてイヤホンを使用する際の、上記問題を解決する。これは、例えば光ファイバーの使用によってのように、パーソナル・スピーキング・デバイスと電話機との間の接続からあらゆる電導材料の除去によって達成される。その結果、パーソナル・スピーキング・デバイスはもはやアンテナとして作用することができない。この基礎デザインから、多くの可能な変形例及びまた派生例が示される。
2004522328.tif 000002
【特許請求の範囲】
【請求項１】
ワイヤレス電話機と使用者ヘッドセットとの間で双方向に非電気的信号を伝達する電気的に絶縁されたコンダクタ（ｃｏｎｄｕｃｔｏｒ）と；
使用者と上記非電気的コンダクタとの間のインターフェースのための上記使用者ヘッドセットと；
上記電話機と上記非電気的コンダクタとの間の電話機側インターフェースとを備えた、
使用者の頭から一定の距離をおいてワイヤレス電話機を維持する一方、該ワイヤレス電話機と使用者の口及び少なくとも一つの耳との間で情報を伝達するための装置。
【請求項２】
上記電気的に絶縁しているコンダクタは少なくとも１つの光ファイバーであり、上記非電気的信号は光信号であり、上記インターフェースは、
上記光ファイバーによる伝達のために、上記電話機からの電気信号を光信号に変換する第１のトランスデューサと；
上記光ファイバー・コンダクタを通った後、上記光信号を電気信号に戻して上記電話機に導くための第２のトランスデューサと；
上記光ファイバーによる伝達のために音を音で変調された光に変換する、上記ヘッドセット側の第３のトランスデューサと；
上記光ファイバーを通った後、上記非電気信号を電気信号に戻して上記使用者のヘッドセットに導くための第４のトランスデューサと；
上記使用者のヘッドセットに少なくとも１つのイヤホンと１つのマイクロホンとを含んでいる、請求項１の装置。
【請求項３】
上記電気的に絶縁しているコンダクタは、両端部で分岐部を持つ単一の中央双方向音チャンネルを有する音コンダクタであり、また上記非電気的信号は音信号であり、上記インターフェースは、
上記音コンダクタによる伝達のために、上記電話機からの電気信号を音へ変換するための第１のトランスデューサと；
上記音コンダクタを通じた伝達の後、上記音を電気信号に戻して上記電話機に導き入れるための第２のトランスデューサと；
上記電話機側インターフェースにおける少なくとも一つの音放出装置及び一つのマイクロホンと；
電話機側インターフェース内における電話機ソケットへ接続するためのプラグと；
上記使用者ヘッドセット内の少なくとも一つのヒヤリング装置及び一つの会話装置とを含んでいる、請求項１の装置。
【請求項４】
上記ヒヤリング装置は音響的に耳に結合させられる耳カップからなる、請求項３の装置。
【請求項５】
上記ヒヤリング装置は耳に挿入された耳プラグからなる、請求項３の装置。
【請求項６】
上記電気的に絶縁しているコンダクタは、両端部において分岐部を有する単一の中央双方向音チャンネルを有する音コンダクタであり、上記非電気的信号は音信号であり、上記インターフェースは、
音コンダクタを直接にセルラー又はワイヤレス電話機のビルトイン・スピーカー及びマイクロホンに接続する機械的インターフェースと；
上記使用者ヘッドセット内に少なくとも１つのヒヤリング装置及び１つの会話装置を含んでいる、請求項１の装置。
【請求項７】
上記ヒヤリング装置は、音響的に耳に結合させられた耳カップからなる、請求項６の装置。
【請求項８】
上記ヒヤリング装置は耳に挿入された耳プラグからなる、請求項６の装置。
【請求項９】
上記第３のトランスデューサは、上記光ファイバーによる伝達のために、上記使用者ヘッドセットからの電気信号を光信号に変える、請求項２の装置。
【請求項１０】
上記第３のトランスデューサは、音を直接上記光ファイバー内へ反射（ｒｅｆｌｅｃｔ）される、光変調（ｍｏｄｕｌａｔｉｏｎ ｏｆ ｌｉｇｈｔ）に変換する、請求項２の装置。
【請求項１１】
上記電気的に絶縁しているコンダクタは、空気であり、上記非電気的信号は光信号であり、上記インターフェースは、
空気による伝達のために、上記電話機からの電気信号を光信号に変換する第１のトランスデューサと；
空気を通って伝達された後の上記光信号を電気信号に戻して上記電話機に導く第２のトランスデューサと；
空気による伝達のために、音を音で変調された光に変える、上記ヘッドセット側の第３のトランスデューサと；
空気を通って伝達された後の上記非電気的信号を電気信号に戻して上記使用者のヘッドセットに導くための第４のトランスデューサと；
上記使用者のヘッドセット内の少なくとも一つのイヤホン及び一つのマイクロホン含んでいる、請求項１の装置。
【請求項１２】
上記ファイバーは、ファイバーの単一の束（ｂｕｎｄｌｅ）を意味する、請求項９の装置。
【請求項１３】
上記ファイバーは、ファイバーの２つ以上の束（ｂｕｎｄｌｅ）を意味する、請求項９の装置。
【請求項１４】
上記ファイバーは、ファイバーの単一の束（ｂｕｎｄｌｅ）を意味する、請求項１０の装置。
【請求項１５】
上記ファイバーは、ファイバーの２つ以上の束（ｂｕｎｄｌｅ）を意味する、請求項１０の装置。
【請求項１６】
上記ヘッドセットは、バッテリーが会話の２，３時間よりもずっと長く持つことができるように、少なくとも一つの使い捨てバッテリ及びエネルギ効率的な回路を含んでいる、請求項２及び請求項１１のいずれか一つの装置。
【請求項１７】
上記ヘッドセットは、再充電が必要になるまで、バッテリーが会話の２，３時間よりもずっと長く持つことができるように、少なくとも一つの再充電可能なバッテリー及びエネルギ効率的な回路を含んでいる、請求項２及び請求項１１のいずれか一つの装置。
【請求項１８】
上記ヘッドセットは、少なくとも一つの再充電可能なバッテリー及び通常のエネルギー消費を持った回路を含んでいる、請求項２及び請求項１１のいずれか一つの装置。
【請求項１９】
上記バッテリーは、光電池によって再充電される、請求項１７の装置。
【請求項２０】
上記バッテリーは、電気ソケットによって再充電される、請求項１７の装置。
【請求項２１】
上記バッテリーは、光電池及び電気ソケットの双方によって再充電され得る、請求項１７の装置。
【請求項２２】
上記バッテリーは、電気ソケットによって再充電される、請求項１８の装置。
【請求項２３】
上記ソケットは独立したソケットである、請求項２２の装置。
【請求項２４】
上記ソケットは電話機の再充電ソケットに並行に（ｉｎ ｐａｒａｌｌｅｌ）接続される、請求項２２の装置。
【請求項２５】
ヘッドセット・バッテリーを再充電するための上記ソケットは、電話機それ自身内にある、請求項２２の装置。
【請求項２６】
上記ソケットは独立したソケットである、請求項２０の装置。
【請求項２７】
上記ソケットは、電話機の再充電ソケットに並行に（ｉｎ ｐａｒａｌｌｅｌ）接続される、請求項２０の装置。
【請求項２８】
ヘッドセット・バッテリーを再充電するための上記ソケットは、電話機それ自身の上にある、請求項２０の装置。
【請求項２９】
上記ソケットは独立したソケットである、請求項２１の装置。
【請求項３０】
上記ソケットは、電話機の再充電ソケットに並行に（ｉｎ ｐａｒａｌｌｅｌ）接続される、請求項２１の装置。
【請求項３１】
ヘッドセット・バッテリーを再充電するための上記ソケットは、電話機それ自身内にある、請求項２１の装置。
【請求項３２】
上記ソケットは、電話機それ自身が再充電されていない時にでさえ、ヘッドセット・バッテリーを再充電するために用いられ得る、請求項２８の装置。
【請求項３３】
上記ソケットは、電話機それ自身が再充電されていない時にでさえ、ヘッドセット・バッテリーを再充電するために用いられ得る、請求項３１の装置。
【請求項３４】
上記電話機側インターフェースはその電力を電話機自身のバッテリーから得る、請求項２及び請求項１１のいずれか一つの装置。
【請求項３５】
上記電話機側インターフェースは、バッテリーが２，３時間の会話よりもずっと長く続くように、少なくとも一つの使い捨てバッテリー及びエネルギー効率的な回路を含んでいる、請求項２及び請求項１１のいずれか一つの装置。
【請求項３６】
上記電話機側インターフェースは、再充電が必要になるまで、バッテリーが２，３時間の会話よりもずっと長く続くように、少なくとも一つの再充電可能なバッテリー及びエネルギー効率的な回路を含んでいる、請求項２及び請求項１１のいずれか一つの装置。
【請求項３７】
上記電話機側インターフェースは、少なくとも一つの再充電可能なバッテリー及び通常のエネルギー消費を持つ回路を含んでいる、請求項２及び請求項１１のいずれか一つの装置。
【請求項３８】
上記バッテリーは、光電池により再充電される、請求項３６の装置。
【請求項３９】
上記バッテリーは、電気ソケットにより再充電される、請求項３６の装置。
【請求項４０】
上記バッテリーは、光電池及び電気ソケットの双方により再充電され得る、請求項３６の装置。
【請求項４１】
上記バッテリーは、電気ソケットにより再充電される、請求項３７の装置。
【請求項４２】
上記ソケットは、独立したソケットである、請求項４１の装置。
【請求項４３】
上記ソケットは、電話機の再充電ソケットに並行に（ｉｎ ｐａｒａｌｌｅｌ）接続される、請求項４１の装置。
【請求項４４】
ヘッドセット・バッテリーを再充電するための上記ソケットは、電話機それ自身内にある、請求項４１の装置。
【請求項４５】
上記ソケットは、独立したソケットである、請求項３９の装置。
【請求項４６】
上記ソケットは、電話機の再充電ソケットに並行に（ｉｎ ｐａｒａｌｌｅｌ）接続される、請求項３９の装置。
【請求項４７】
電話機インターフェース・バッテリーを再充電するための上記ソケットは、電話機それ自身内にある、請求項３９の装置。
【請求項４８】
上記ソケットは、独立したソケットである、請求項４０の装置。
【請求項４９】
上記ソケットは、電話機の再充電ソケットに並行に（ｉｎ ｐａｒａｌｌｅｌ）接続される、請求項４０の装置。
【請求項５０】
電話機インターフェース・バッテリーを再充電するための上記ソケットは、電話機それ自身内にある、請求項４０の装置。
【請求項５１】
上記ソケットは、電話機それ自身が再充電されていないときでさえ、電話機インターフェース・バッテリーを再充電するために用いられ得る、請求項４７の装置。
【請求項５２】
上記ソケットは、電話機それ自身が再充電されていないときでさえ、電話機インターフェース・バッテリーを再充電するために用いられ得る、請求項５０の装置。
【請求項５３】
上記ヘッドセットはまた、使用者に電話機にアクセスすることなしにダイヤルすることを可能ならしめるユニットを含んでいる、請求項２及び請求項１１のいずれか一つの装置。
【請求項５４】
上記ヘッドセットはまた、使用者に電話機にアクセスすることなしにやって来たコールに答えることを可能ならしめるユニットを含んでいる、請求項２及び請求項１１のいずれか一つの装置。
【請求項５５】
上記ヘッドセットはまた、使用者に電話機にアクセスすることなしにやって来たコールに答えることを可能ならしめるユニットを含んでいる、請求項５３の装置。
【請求項５６】
上記ユニットは、キーセット（ｋｅｙ−ｓｅｔ）に基づいている、請求項５３の装置。
【請求項５７】
上記ユニットは、音声起動に基づいている、請求項５３の装置。
【請求項５８】
上記音声コマンドは、ヘッドセットで処理される、請求項５７の装置。
【請求項５９】
上記音声コマンドは、電話機側インターフェースで処理される、請求項５７の装置。
【請求項６０】
上記音声コマンドは、電話機それ自身において処理される、請求項５７の装置。
【請求項６１】
上記ユニットは、スイッチに基づいている、請求項５４の装置。
【請求項６２】
上記ユニットは、やって来たコールに答えるための信号として、使用者の音声を用いることに基づいている、請求項５４の装置。
【請求項６３】
上記エネルギー効率的なユニットは、ＰＷＭを持ったＣＭＯＳに基づいている、請求項１７の装置。
【請求項６４】
上記エネルギー効率的なユニットは、ＰＷＭを持ったＣＭＯＳに基づいている、請求項３６の装置。
【請求項６５】
上記電話機側インターフェースは、エネルギー効率的なユニットを含んでいる、請求項３４の装置。
【請求項６６】
上記エネルギー効率的なユニットは、ＰＷＭを持ったＣＭＯＳに基づいている、請求項６５の装置。
【請求項６７】
電気回路及びヘッドセットのイヤホン及びマイクロホンは、共に一つの場所にあり、マイクロホンは、音響的に耳とは孤立しておりかつ小さなエアチューブにより使用者の口に達するように延出されている、請求項２及び請求項１１のいずれか一つの装置。
【請求項６８】
ヘッドセットは、使用者の耳により小さな重みがかかるように、使用者の上着に取付けられた部分に、その回路の大部分及びバッテリーを含んでいる、請求項２及び請求項１１のいずれか一つの装置。
【請求項６９】
ヘッドセットはまた、スクリーンを含んでいる、請求項５３の装置。
【請求項７０】
ヘッドセットはまた、スクリーンを含んでいる、請求項５４の装置。
【請求項７１】
ヘッドセットはまた、スクリーンを含んでいる、請求項５５の装置。
【請求項７２】
ヘッドセットは、それを手で保持しなければならないことなしにそれを耳に結合する能力に加えて、便利的に手で保持され得る、請求項２及び請求項１１のいずれか一つの装置。
【請求項７３】
ヘッドセットは、それを手で保持しなければならないことなしにそれを耳に結合する能力に代えて、便利的に手で保持され得る、請求項２及び請求項１１のいずれか一つの装置。
【請求項７４】
ヘッドセットは、少なくともその状態の一つにおいて、手で保持される電話機（ｈａｎｄ−ｈｅｌｄ ｐｈｏｎｅ）の形状である、請求項７２の装置。
【請求項７５】
ヘッドセットは、手で保持される電話機（ｈａｎｄ−ｈｅｌｄ ｐｈｏｎｅ）の形状である、請求項７３の装置。
【請求項７６】
上記電話機と上記ヘッドセットとの間の上記コンダクタが電話機のマイクロ波放射（ｍｉｃｒｏｗａｖｅ ｒａｄｉａｔｉｏｎ）のアンテナとなることを防止するために使用される、請求項１の装置。
【請求項７７】
上記電話機と上記ヘッドセットとの間の上記コンダクタが電話機のマイクロ波放射（ｍｉｃｒｏｗａｖｅ ｒａｄｉａｔｉｏｎ）のアンテナとなることを防止するために使用される、請求項２及び請求項１１のいずれか一つの装置。
【請求項７８】
上記電話機と上記ヘッドセットとの間の上記コンダクタが使用者の頭にマイクロ波放射を伝達することを防止するために用いられる、請求項１の装置。
【請求項７９】
上記電話機と上記ヘッドセットとの間の上記コンダクタが使用者の頭にマイクロ波放射を伝達することを防止するために用いられる、請求項２及び請求項１１のいずれか一つの装置。
【請求項８０】
上記電話機と使用者ヘッドセットとの間で双方向で非電気的信号を伝達する電気的に絶縁しているコンダクタを供給する過程と、
使用者と上記非電気的コンダクタとの間のインターフェースのための上記使用者ヘッドセットを供給する過程と、
上記電話機と上記非電気的コンダクタとの間の電話機側インターフェースを供給する過程とを含む、
ワイヤレス電話機とヘッドセットとの間の接続が電話機のマイクロ波放射（ｍｉｃｒｏｗａｖｅ ｒａｄｉａｔｉｏｎ）のアンテナとなることを防止するための方法。
【請求項８１】
上記コンダクタは、光ファイバーに基づいている、請求項８０の方法。
【請求項８２】
電話機側インターフェースは、通常のイヤホンプラグを通して電話機に接続される、請求項２及び請求項１１のいずれか一つの装置。
【請求項８３】
電話機側インターフェースはまた、電話機のバッテリーからそれに電気を供給することができる電力ライン（ｐｏｗｅｒ ｌｉｎｅ）と接続する、請求項８２の装置。
【請求項８４】
電話機側インターフェースは、特別のプラグを通して電話機に接続する、請求項２及び請求項１１のいずれか一つの装置。
【請求項８５】
少なくとも電話機側インターフェースの一部は、電話機それ自身の一部である、請求項２の装置。
【請求項８６】
光ファイバーは、光学プラグ（ｏｐｔｉｃａｌ ｐｌｕｇ）により、電話機側インターフェースに接続する、請求項８５の装置。
【請求項８７】
光ファイバーは、電気プラグにより、電話機側インターフェースに接続する、請求項８５の装置。
【請求項８８】
光ファイバーは、電話機側インターフェースに常時接続されている、請求項８５の装置。
【請求項８９】
特別のプラグは、電話機インターフェースへ及びそれから、アナログ信号を伝達する、請求項８４の装置。
【請求項９０】
特別のプラグは、電話機インターフェースへ及びそれから、デジタル信号を伝達する、請求項８４の装置。
【請求項９１】
電話機と電話機インターフェースとの間の内部接続は、電話機インターフェースへ及びそれから、アナログ信号を伝達する、請求項８５の装置。
【請求項９２】
電話機と電話機インターフェースとの間の内部接続は、電話機インターフェースへ及びそれから、デジタル信号を伝達する、請求項８５の装置。
【請求項９３】
上記電話機はまた、ボリュ−ムコントロールを有する、請求項２及び請求項１１のいずれか一つの装置。
【請求項９４】
上記電話機はまた、ピッチコントロール（ｐｉｔｃｈ ｃｏｎｔｒｏｌ）を有する、請求項２及び請求項１１のいずれか一つの装置。
【請求項９５】
上記ヘッドセットはまた、ボリュ−ムコントロールを有する、請求項２及び請求項１１のいずれか一つの装置。
【請求項９６】
上記ヘッドセットはまた、ピッチコントロール（ｐｉｔｃｈ ｃｏｎｔｒｏｌ）を有する、請求項２及び請求項１１のいずれか一つの装置。
【請求項９７】
低ＫＨｚのダイオードが用いられ、かつ十分により高い周波数が達成され得るように、ＤＣベース（ＤＣ ｂａｓｅ）の上方のリップル（ｒｉｐｐｌｅ）が用いられ、かつリップルから信号を再構築するために、適当なフィルタリング及び増幅（ａｍｐｌｉｆｉｃａｔｉｏｎ）が加えられる、請求項２及び請求項１１のいずれか一つの装置。
【請求項９８】
ヘッドセットは、セルラーアンテナ及びその回路を除き、電話機の機能の殆どを含んでおり、電話機は主に、セルラーアンテナ及びその回路を含んでいる、請求項２及び請求項１１のいずれか一つの装置。
【請求項９９】
ヘッドセットは、セルラーアンテナ及びその回路を除き、少なくとも電話機の機能のいくつかを含んでおり、電話機は、少なくともセルラーアンテナ及びその回路を含んでいる、請求項７２の装置。
【請求項１００】
ヘッドセットは、セルラーアンテナ及びその回路を除き、少なくとも電話機の機能のいくつかを含んでおり、電話機は、少なくともセルラーアンテナ及びその回路を含んでいる、請求項７３の装置。
【請求項１０１】
ふさわしいＬＥＤが容易に選ばれるように、それぞれ異なった周波数の数多くのＬＥＤを持ったＬＥＤマトリックス（ｍａｔｒｉｘ）（例えばチップ内）を用いることによって、自動周波数選択（ａｕｔｏｍａｔｉｃ ｆｒｅｑｕｅｎｃｙ ｃｈｏｉｃｅ）が達成される、請求項１１の装置。
【請求項１０２】
周波数を変えるために異なったフィルターが自動的に選択されまた移動され（例えば回転によって）得るように、少なくとも一つの、ある範囲の周波数をカバーする、ＬＥＤの前に、異なって色づけされたフィルター（ｄｉｆｆｅｒｅｎｔｌｙ ｃｏｌｏｒｅｄ ｆｉｌｔｅｒ）のセットを用いることによって、自動周波数選択（ａｕｔｏｍａｔｉｃ ｆｒｅｑｕｅｎｃｙ ｃｈｏｉｃｅ）が達成される、請求項１１の装置。
【請求項１０３】
ヘッドセット装置はまた、データを、例えばコンピュータ，プリンタ，及びファックス装置のような、他の装置に伝達するために用いられ得る、請求項２及び請求項１１のいずれか一つの装置。
【請求項１０４】
上記データ伝達はまた、ヘッドセットで会話している間と同時であり得る、請求項１０３の装置。
【請求項１０５】
上記同時性は、マルチプレクス（ｍｕｌｔｉｐｌｅｘｉｎｇ）により達成される、請求項１０４の装置。
【請求項１０６】
上記同時性は、バンド幅（ｂａｎｄｗｉｄｔｈ）を増すことにより達成される、請求項１０４の装置。
【請求項１０７】
少なくとも電話機側インターフェースの一部は、電話機それ自身の一部である、請求項１１の装置。
【請求項１０８】
ヘッドセットは、２つの部分からなる電話機（ｔｗｏ−ｐａｒｔ ｐｈｏｎｅ）のように、電話機自身のカバーに代えて、電話機の上にフィット（ｆｉｔ）しており、従って使用者が電話機を開ける時、彼は常に実際、ヘッドセットをピップアップ（ｐｉｃｋ ｕｐ）する、請求項７４の装置。
【請求項１０９】
ヘッドセットは、２つの部分からなる電話機（ｔｗｏ−ｐａｒｔ ｐｈｏｎｅ）のように、電話機自身のカバーに代えて、電話機の上にフィット（ｆｉｔ）しており、従って使用者が電話機を開ける時、彼は常に実際、ヘッドセットをピップアップ（ｐｉｃｋ ｕｐ）する、請求項７５の装置。
【請求項１１０】
ヘッドセットは、２つの部分からなる電話機（ｔｗｏ−ｐａｒｔ ｐｈｏｎｅ）のように、電話機自身のカバーに代えて、電話機の上にフィット（ｆｉｔ）しており、従って使用者が電話機を開ける時、彼は常に実際、ヘッドセットをピップアップ（ｐｉｃｋ ｕｐ）する、請求項９８の装置。
【発明の詳細な説明】
【０００１】
【発明の分野】
この発明は、信号を送受信するためのコードレス電話機、特にワイヤレス・セルラー電話機のような、手で抱えて使用する端末のためのパーソナル・イヤホン及び／又はマイクロホンに関する。
【０００２】
【発明の背景】
携帯又はセルラー電話機は，多くの子供を含め、ビジネス及び私的会話のためのあらゆる人口セクターに、より一般的かつポピュラーになってきている。例えば、イギリスでは，セルラー・ホーンは子供にとっての最もポピュラーな贈り物になっており、今やイギリスだけでも３００，０００人以上の子供がセルラー・ホーンを使用している。使用者の頭の近くに保持されたセルラー・アンテナによって伝達されるマイクロ波は、腫瘍，アルツハイマー，及び他の医学的及び神経学的問題のような、使用者に危険な影響を持っているのではないかということが危惧されている。例えば、近年９９年１０月に、ワシントンのセルラー研究所の所長、ジョージ・カルロ博士は恐るべき結果を導き出した：彼はセルラー・ホーンの使用は脳腫瘍のチャンスを倍化させ且つまた遺伝子的な傷害を引き起こすかもしれないということを発見した。全体として１９９７年以来、多くの多くの研究が、セルラー・ホーンの脳への電磁気的な放出は危険であるという疑いを増加させている。既に１９９６年１２月には、ＬＡタイムズで発行された記事は、それはアルツハイマー病をもまた引き起こすかもしれないという疑いを示した。スカンジナビアでは近年、これらのありうる危険についてのより多くの警告さえあっている。
【０００３】
多くの人々が、セルラー電話機使用者をこの電磁波から保護するための方法を研究している。これまでのこれらの問題を避けようとする最も共通の方法の一つは、マイクロホンを備えたパーソナル・イヤホンの使用である。２０００年４月４日に、イギリスの消費者雑誌「Ｗｈｉｃｈ」によって行われた研究が不運にもセルラー電話機使用者を電磁波放射（そして特にマイクロ波放射）から保護する代わりに、実際、イヤホン及びそのケーブルは、アンテナの役割を果たして、セルラー電話機を外部イヤホンなしに直接使用するときに比して、使用者を３倍以上の危険な電磁波にさらすことができるということを発見したということが、全世界的に報じられた。更にはこの放出は直接脳に行く。この発見は、これらのイヤホンがセルラー電話機の電磁波の放射にさらされることを防止し又は減じるという報道により、非常に多くの人がこれらのイヤホンを買っていたので、極めてショックであり耐えがたいものである。実際、数千万のセルラー電話機使用者が、これらのイヤホンを、とくに自分たち自身を電磁波から防護するために買っていた。多くの人々が、この全世界的な報道の後今やパニック状態であり、この電磁波放射を避けることができないという無力感を感じている。
【０００４】
【発明のサマリー】
この発明は、上記装置特にセルラー電話機に関してイヤホンを用いる際の上記問題を完全に除去することにある。これは、パーソナル・スピーキング・デバイスがもはやアンテナとして作用しないように、パーソナル・スピーキング・デバイスと電話機との間の接続からあらゆる電導材料を除去することによって達成される。
【０００５】
より具体的には、金属コードは好ましくは、電気の代わりに音又は光を伝える、フレキシブルな非金属材料で置き代えられる。これは、例えば次に述べる方法でなされ得る。
【０００６】
１．ガス（ｇａｓ），流体又は他の何らかの非金属体音伝導材料のような音をよく伝える材料を通じて、音を使用者の一方又は双方の耳に伝えるフレキシブルなチューブ又はコードを通じて。使用者のヘッドセット側では、音伝導体の適当な分岐が、使用者の一方又は双方の耳近くに配置された又は接触するイヤーカップ（ｅａｒ ｃｕｐ）又はイヤープラグ（ｅａｒ ｐｌｕｇ）に至り、かつそれはまた、使用者の口近くのマウスピースに至ることができる、フレキシブルな調節可能なエレメントを持った分岐をも持っている。効果を増大させるために耳及び口インターフェースを加えることもまた可能である。電話機側では、それぞれの電話機に合った機械的インターフェースを通じて、音波を送受するセルラー又はコードレス電話機のイヤホン又はマイクロホンに直接に、又は外部イヤホン及びマイクロホンを通じてハンドセット・デバイス（ｈａｎｄｓｅｔ ｄｅｖｉｃｅ）のプラグと、接続する。利便及び信頼性のために、好ましくは、このチューブ又はコードは、容易に伸び且つまた音の伝達を妨げるような方法で曲がらないように、例えば、通常の電話機コードのようにスパイラル形状であることができる。
【０００７】
２．使用者のヘッドセットとの間で情報をやり取りする好ましくは細い一本又は複数本の光ファイバーを通じて。使用者の頭側には、光を音に変えまた音を光に変えるデコーディング装置及びエンコーディング装置が存在する。電話機側には、光を電気信号に変えまた電気信号を光に変えるエンコーディング装置及びデコーディング装置が存在する。利便及び信頼性のために、好ましくは、このファイバーは、容易に伸び且つまた、折れたり、音の伝達を妨げるような方法で曲がらないように、例えば、通常の電話機コードのようにスパイラル形状であることができる。
【０００８】
３．第２の解決方法と同様であるが、光ファイバーに代えて、光伝導体としての空気を用いて。
【０００９】
［図面の簡単な説明］
【図１】
図１は、好ましい実施例のシステム概念図である。
【図２】
図２は、音伝導チューブ又はコード及びそのインターフェース（第１の方法）の好ましい構造の概念図である。
【図３】
図３は、光コミュニケーション及びそのインターフェース（第２の方法）の好ましい構造の概念図である。
【図３ａ】
図３ａは、小さなエアー・チューブを用いて、マイクロホンが、耳の近くの回路から使用者の口に達するように延ばされている、可能な実施例のグラフィカル説明図である。
【図３ｂ】
図３ｂは、使用者の耳により小さな重さがかかるように、ヘッドセットが、好ましくは、例えば使用者のカラー（襟）に取付けられた部分に、その回路の大部分及びバッテリーを含む、可能な実施例のグラフィカル説明図である。
【図３ｃ】
図３ｃは、ヘッドセットが、例えばコンピュータ，プリンタ，ファックス装置等の他のデバイスにデータを送るためにも用いられ得る、２つの好ましい方法の説明図である。
【図３ｄ】
図３ｄは、各リングが部分的に次のリング内に含まれるように、光ファイバーのジャケットを囲んで小さなプラスチックの同心状のリングを用いる、可能なバリエーションの説明図である。
【図３ｅ】
図３ｅは、例えば、光ファイバーのジャケット上のより硬い材料内に、種々の間隔で、小さなＶ形の溝を設ける、可能なバリエーションの説明図である。
【図３ｆ】
図３ｆは、両端部での接続容易性を確保する一方柔軟性を増加するために、例えば、メインボティでより細く両端部でより太いファイバーを用いる、可能なバリエーションの説明図である。
【図３ｇ】
図３ｇは、ふさわしいＬＥＤが容易に選ばれるように、それぞれが異なった周波数の好ましくは多数のＬＥＤを持ったＬＥＤアレイを用いて、光又は赤外線の周波数選択を達成する、好ましい方法の説明図である。
【００１０】
【重要な明示及び用語説明】
全てのこれらの図面は、一般的な概念図に過ぎない。これらは、種々の要素の文字通りの配置，形状，角度，又は大きさとして解釈されてはならない。クレームを含めて特許を通して用いられている「セルラー電話機」又は「携帯電話機」又は「ワイヤレス電話機」又は「電話機（ｐｈｏｎｅ）」又は「電話機（ｔｅｌｅｐｈｏｎｅ）」の語句は、例えば、日本のＤｏＣｏＭｏ第３世代セルラーコミュニケーション装置のようなインターネットが可能なセルラー電話機，セルラー及び／又はワイヤレス技術を用いてコミュニケートするパームコンピュータ等を含めて、ワイヤレス及び／又はセルラー技術を用いたコミュニケーションのためのいかなる装置も意味することができる。また、クレームを含めて、テキスト全体を通じて用いられている「一本の光ファイバー」又は「複数本の光ファイバー」又は「光学ファイバー」の語句は、常に、相互交換的に、一本又は複数本の光ファイバー、又は一本又は複数本の光ファイバーの多数の束さえも意味する。クレームを含めて、特許を通じて、光の語句は、例えば可視光，赤外線，紫外線，種々のタイプのレーザ等のような、光の如何なる波長及び種類をも意味することができる。
【００１１】
【好ましい実施形態の詳細な説明】
図１を参照して、ヘッドセット（１）は、好ましくは、音コンダクタ又は光コンダクタ（２）を通じて電話機インターフェース（３）と接続し、それはセルラー電話機又はコードレス電話機（４）と接続する。
【００１２】
図２を参照して、耳ユニット（１１）は、耳へ挿入された小さなプラグ、又は調節可能なフック又はリング又は何らかの標準的な方法により耳に結合された小さなカップのいずれかにより、耳に適用される。この該ユニットは、頭側の適当な分岐を通じて、単一の中央双方向音コンダクタ（１４）に接続される。中央コンダクタ（１４）はまた、音改良のための音響フィルター（ａｃｏｕｓｔｉｃ ｆｉｌｔｅｒ）（１２）を含んでいてもよくまた、分岐を含めて、外部歪み（ｅｘｔｅｒｎａｌ ｄｉｓｔｏｒｔｉｏｎ）又は干渉（ｉｎｔｅｒｆｅｒｅｎｃｅ）を減少させるために、音減衰材料で覆ってもよい。口ユニット（１３）は、フレキシブルで調節可能な要素を持った、音コンダクタ（１４）の他方の分岐に接続されている。電話機インターフェース（１５）は、電話機側において、それぞれ中央音コンダクタ（１４）の適当な分岐上にインストールされかつハンドセット装置（ｈａｎｄｓｅｔ ｄｅｖｉｃｅ）のプラグに電気的に接続された小さなマイクロホン及びイヤホンか、又は音コンダクタを適当な分岐を通じてセルラー又はワイヤレス電話機のビルトイン・スピーカー及びマイクロホンに直接に接続する機械的インターフェースかのいずれかを含んでいる。この機械的インターフェースは、多くの種類の電話機に普遍的に調節可能であることができ、又はセルラー又はワイヤレス電話機のそれぞれのタイプに特別に適していることができる。耳ユニット（１１）及び口ユニット（１３）は、音質改良のための内側膜（ｍｅｍｂｒａｎｅ）を含んでいてもよい。
【００１３】
図３を参照して、ヘッドセットユニット（２２）は、適当な一本又は複数本の光ファイバー（２３）からの、音変調された光を、電気信号に変える光デコーダ（２２ｂ）からの、好ましくは増幅された復号電気信号を受け取る、一つ（又は複数）のイヤホン（２２ａ）を含み、また音変調された光を適当な一本又は複数本の光ファイバー（２３）に伝える光エンコーダ（２２ｄ）に、好ましくは増幅された電気信号を伝えるマイクロホン（２２ｃ）、若しくは音を直接に、一本の又は複数本の光ファイバー（２３）内へ反射される光変調（ｍｏｄｕｌａｔｉｏｎ ｏｆ ｌｉｇｈｔ）（該光は、一本の又は複数本の光ファイバー（２３）を通じて電話機側から又はヘッドセット（２２）側からやってくる。）に変える光マイクロホンを含んでいる。電話機（２６）側において、一本の又は複数本の光ファイバー（２３）は、好ましくは、電話機インターフェース（２４）を通じてセルラー又はワイヤレス電話機プラグ（２５）（外部イヤホン及びマイクロホンのために設計されたプラグ）に接続される。この電話機インターフェース（２４）は、適当な一本の又は複数本の光ファイバー（２３）からの音変調された光を、プラグ（２５）を通じた電話機の会話インプットのための電気信号に変換する、光デコーダ（２４ａ）及び、プラグ（２５）を通じた電話機の会話アウトプットからの電気信号を、一本の又は複数本の光ファイバー（２３）へ伝達される、音変調された光へ変換する、光エンコーダ（２４ｂ）を含んでいる。好ましくは少なくとも一つのファイバー（２３）がコミュニケーションのそれぞれの方向のために使用されるが、しかし他の可能な変形例は例えば、単に一つのファイバーを双方向に用い、及び好ましくはそれぞれの端部でエンコーダ及びデコーダの双方に接続するために、両端部において光学スプリッター（ｏｐｔｉｃａｌ ｓｐｌｉｔｔｅｒ）を用いることである（しかしこれはさほど望ましくない）。好ましくはこの装置は、ヘッドセットユニット（２２）において、少なくともひとつのバッテリー（２２ｅ）及び、好ましくは例えばパルス幅変調（ＰＷＭ（Ｐｕｌｓｅ Ｗｉｄｔｈ Ｍｏｄｕｌａｔｉｏｎ））を有するＣＭＯＳ回路又はＣＭＯＳマイクロプロセッサを用いることによって、バッテリー（２２ｅ）が、好ましくはより長い間続くことができるように一つ又は複数のエネルギ効率的な回路（２２ｆ）を用いる。ヘッドセットユニット（２２）においてエネルギを節約（ｓａｖｉｎｇ）する追加的な好ましい方法は、例えば、使用者が話していないときは、光エンコーダ（２２ｄ）の時比率（ｄｕｔｙ ｃｙｃｌｅ）を自動的に減じる（又は完全にとめる）及び彼が会話を開始するときは、エンコーダ（２２ｄ）のダイオードのコンデンサ（ｃａｐａｃｉｔｏｒ）をすばやく再充電することである。これは、新しい会話の最初に、会話の２，３ミリセコンドが失われるが、これは無視できうる。スピーカーはヘッドセットにおいて最大のエネルギーの消費体であるので、また好ましくはイヤホン（２２ａ）において、例えば、ピエゾエレクトリック・スピーカー（ｐｉｅｚｏｅｌｅｃｔｒｉｃ ｓｐｅａｋｅｒ）のようなエネルギ効率的なスピーカが使用される。バッテリー（２２ｅ）は、使い捨��のバッテリー、好ましくは例えば、効率的な回路で、２，３ヶ月のような長い期間（例えば１日当たり３時間話した場合）続くことができるものであることができ、又は好ましくは再充電が可能になるまで効率的な回路で、比較的長く続くことができる、充電可能なバッテリーであることができる。しかし他の可能な変形例は、例えばセルラー電話機（２６）それ自身が再充電されるときに再充電される単純な回路であることができる。好ましくは、再充電は、電気ソケットを通じて又は光電池（ｐｈｏｔｏ−ｖｏｌｔａｉｃ ｃｅｌｌ）を通じて又は選択的に（ｏｐｔｉｏｎａｌｌｙ）双方により、行うことができる。電気の再充電のために、好ましくは、ヘッドセットは、それ自身の再充電ソケット（２７）を用いることができ、又は（例えば、電話機の再充電ユニット（２８）のソケットをダブルソケットに変換する、スプリッターによって）並行に（ｉｎ ｐａｒａｌｌｅｌ）、又は例えば、電話機（２６）は、その通常の再充電ソケット（２８）へプラグされ、及びイヤホンは、電話機それ自身上の再充電ソケット（２６ｃ）へプラグされるように、列的に（ｉｎ ａ ｒｏｗ）、電話機と共に充電されることができる。直前の変形例の他の可能な変形例は、電話機（２６）それ自身は同時には充電されていないときでさえ、ヘッドセットは、ソケット２６ｃを通じて電話機のバッテリー（２６ａ）から充電され得るということである。電話機インターフェース・ユニット（２４）において、好ましくは電力は、（例えば、イヤホンのプラグに接続することに加えて、電力を供給する線にフッキング（ｈｏｏｋｉｎｇ）することによって、）電話機のプラグ（２５）から導かれ、従って電話機自身の再充電可能なバッテリー（２６ａ）からのエネルギを用いることであり、及び好ましくは回路（２４ｄ）はまた、ヘッドセット（２２）における回路（２２ｆ）のように、パワーセービング（ｐｏｗｅｒ ｓａｖｉｎｇ）回路であることである。他の可能な変形例は、ヘッドセット（２２）におけるバッテリー（２２ｅ）と同様に、電話機インターフェース回路（２４）上で、独立した一個（又は複数個）のバッテリー（２４ｃ）を用いることである。これは、例えば、電話機自身のバッテリー（２６ａ）への便利なタッピング（ｔａｐｐｉｎｇ）を備えていない電話機の場合に有用である。他の可能な変形例は、ダイヤルするための好ましくは小さなキーセット（ｋｅｙ−ｓｅｔ）（２２ｇ）、又はヘッドセット（２２）上又は電話機インターフェース（２４）上又は電話機（２６）それ自身内のプロセッシング・ユニット（ｐｒｏｃｅｓｓｉｎｇ ｕｎｉｔ）を用いることができる音声起動ダイヤリング、又はこれらの組み合わせのような、また何らかの追加的な有用な特徴を、ヘッドセット（２２）に加えることである。他の可能な変形例はヘッドセット（２２）がまた、使用者に、電話機（２６）に手を伸ばさなければならないことなしに、やってきた電話機コールに答えさせることを可能ならしめる、スイッチ（２２ｉ）を持つことである。その結果、スイッチ（２２ｉ）の状態を変えることによって、好ましくは何らかの光学的シグナルは電話機（２６）に送られ、やってきたコールに答えるようにインストラクトする��好ましくはこれは電話機製造者との協力によってなされる）。このスイッチ（２２ｉ）は、直接又は間接にいずれかによって、例えばヘッドセットの装着行為によって、作動させることができる。他の可能な変形例は、使用者がやってきたコールに答えたいときに、使用者が単に会話を始め、電話機（２６）によって又はヘッドセットそれ自身（２２）によって又は電話機インターフェースユニット（２４）によってのいずれかによって、この音がやってきたコールに答えるシグナルと見なされることである。そしてこれは、次に教示を電話機（２６）に伝える。もちろん、電話機（２６）に触ることなしに、やってきたコールに答える、この能力はまた、電話機（２６）に触ることなしにダイヤルする、能力と、組み合わせられることができる。他の可能な変形例はまた、好ましくは軽くかつ小さなスクリーン（２２ｈ）を、ヘッドセットに、加えることである。他の可能な変形例は、ヘッドセットユニット（２２）が、一箇所（例えば、耳近くの部分）に集められたバッテリー（２２ｅ）及びイヤホン（２２ａ）及びマイクロホン（２２ｃ）を含んで、電気回路（２２ｆ）を含んでいることであり、またマイクロホン（２２ｃ）は好ましくは音響的に（ａｃｏｕｓｔｉｃａｌｌｙ）耳から孤立しており、より視覚的に図３ａに示すように、小さな空気チューブによって使用者の口に至るように延ばされることである。他の可能な変形例はヘッドセット（２２）が、好ましくは、例えば、より視覚的に図３ｂに示すように、使用者の耳により少ない重さがかかるように、かつそれによって使用者の耳は単にイヤホン（２２ａ）及びマイクロホン（２２ｃ）及びコネクション部の重さのみをかかえればよいように、その回路の大部分（２２ｆ）（バッテリー（２２ｅ）を含めて）を、好ましくはクリップによって例えば、使用者の襟（ｃｏｌｌａｒ）に取付けられた部分に、含んでいることである。もちろん直前の２つの変形例はまた組み合わされることができる。追加的な変形例はまた可能である。他の可能な変形例は、耳に結合させられる代わりに又はそれに加えて、ヘッドセット（２２）はまた、便利的に手で持たれることができ、また電話機の形状又は他の便利な形状であってもよいことである。もし手で持つことなしにヘッドセットを耳に結合させる能力に加えて、ヘッドセット（２２）が便利的に手で持たれることができるならば、そのときは好ましくは、ヘッドセット（２２）は軽く、かつその使用に従って、適当な形状に、折り曲げられ（ｆｏｌｄｅｄ）又は開かれる（ｕｎｆｏｌｄｅｄ）ことができる。他の可能な変形例は、ヘッドセット（２２）がまた、好ましくは小さなスクリーン（２２ｈ）を含んでいてもよいことである。もしヘッドセット（２２）が例えば、ダイヤルするための及び／又はコールに答えるためのキー（２２ｇ）及び／又はスクリーン（２２ｈ）のような、追加的な機能を含んでいるならば、それらは、電話機（２６）内にこれらの機能を持つ代わりに又はそれに加えてのいずれかであることができる。これのより極端な変形例は、例えば、電話機の主要な機能の全てが、ヘッドセット（２２）に移転され、かつ、電話機（２６）は、セルラーアンテナ（２６ｂ）及びその回路及びバッテ��ー（２６ａ）及び電話機側インターフェース（２４）のみを含んでいることである。このケースにおいて、これを他の観点から見れば、実際上これは逆転を意味し、その結果、電話機は手中にあり（又は手には何も持たない状態で、使用者の耳又は頭に取付けられ）、他の部分は、一方ではセルラー・カンパニーの一つ又は複数の局（ｃｅｌｌ）とセルラー・アンテナでコミュニケートし、かつ他方では電話機と短距離のより安全なコミュニケーションの方法によってコミュニケートするトランスデューサ（ｔｒａｎｓｄｕｃｅｒ）である。他の可能な変形例は、ヘッドセット（２２）が、電話機自身のカバーに代えて、２つの部分からなる電話機のように、電話機（２６）の上にフィットすることである。その結果、使用者が電話する又はコールに答えるために、電話機（２６）を開けば、彼は常に実際、ヘッドセット（２２）をピックアップする。この場合には、電話機（２６）自身上の再充電ソケット（２６ｃ）からヘッドセット（２２）を再充電することができることが、また最も自然である。他の可能な変形例は、電話機インターフェース（２４）は例えば、通常のイヤホンプラグ（２５）に加えてまたはその代わりに電話機内に存在する、特別のプラグ（２５ｂ）接続されることである。これは、例えば、アナログ電気接続又は、デジタル信号に直接接続することはより効率的であり得るので、デジタル電気接続であることができる。好ましくは接続は、双方向においてデジタル又は双方向においてアナログのいずれかである。他の可能な変形例は、あるミックスしたアナログ及び／又はデジタル接続を用いることである。（接続が、例えば、一方向でデジタルかつ他方向でアナログであるような仕様（ｃｏｎｆｉｇｕｒａｔｉｏｎｓ）もまた考えられうるが、これは多分あまり効率的ではないだろう）。他の可能な変形例は、電話機インターフェース（２４）又は少なくともその一部は、好ましくは電話機（２６）それ自身に一体化した部分として設計されていることであり、及びそれゆえ好ましくはその電力を直接、電話機のバッテリ（２６ａ）又は回路から得ることである。この場合はまた、電話機のインターフェース（２４）と電話機（２６）のその他の部分との間の接続は、例えば、アナログ又はデジタルであることができ、デジタル信号に直接接続することはより効率的であろう。この場合、一本の又は複数本の光ファイバー（２３）は、このインターフェースに、例えば光学プラグ（２４ｅ）によって又は電気プラグによって接続されることができ、又は常に接続されていることさえも可能である。もしそれが常に接続されているならば、そのときには好ましくは電話機側又はヘッドセット側又は双方に、使用者にヘッドセットを使用するか又は電話機を直接使用するかを選択させる、他のスイッチが存在する。他の可能な変形例は、ヘッドセット（２２）に及び／又はセルラー電話機（２６）に、例えば聞こえにくい時に、さらに音質を改良するために、例えば、現在セルラー電話機において及びセルラー・イヤホンにおいて利用できない、ボリュ−ム・コントロール（２２ｊ，２６ｊ）及び／又はピッチコントロール（２２ｋ，２６ｋ）を加えることである。これらのコントロールは例えば、回転ホ��ール又は移動バー又はデジタルのコントロールキーによって達成されうる。他の可能な変形例は、図３ｃに示すように、好ましくは話しているときと同時にさえ、また独立して、ヘッドセット装置は、データを、例えばコンピュータ，プリンタ，ファックス装置等のような、他の装置に伝達することにもまた使用され得ることである。他の可能な変形例は、ヘッドセット装置は、好ましくは、他の電子装置と共にまた使用され、従って電話機のみと共にではないことである。無論、上記変形例の種々の組み合わせはまた可能である。
【００１４】
更にコストを省くために、他の可能な変形例は光エンコーダ（２２ｄ，２４ｂ）のために非常に安価なダイオードを用いることである。しかしながら、このようなダイオードは通常、寄生容量（ｐａｒａｓｉｔｉｃ ｃａｐａｃｉｔａｎｃｅ）のために、例えば、２，３ＫＨｚの周波数に限定される。この問題を解決するために、かなりの高い周波数（例えば、５０ＫＨｚまでの）で働くことができる、好ましくはＤＣベース（ＤＣ ｂａｓｅ）上方のリップル（ｒｉｐｐｌｅ）が使用され、また、リップルから信号を再構築するために、好ましくは適当なフィルタリング（ｆｉｌｔｅｒｉｎｇ）及び増幅（ａｍｐｌｉｆｉｃａｔｉｏｎ）が加えられる。他方、容易に例えばｌＯＯＫＨｚに到達することができるような、相対的にはまだ安価な他のダイオードが使用され得る。
【００１５】
また、信号の消失又は光ファイバーへのダメージを引き起こすような方法で、一本の又は複数本の光ファイバー（２３）が過度に曲がることを防止するために、好ましくはファイバーを囲むジャケットは、軽くかつフレキシブルであり、しかし過度の曲がりを防止するだけ十分に強い。これを達成するために、数多くの可能な解決方法が使用され得る：  １．  ジャケットの内側又は上側に、好ましくは十分に強くかつ弾性を有し、かつある点を超えて曲げられるときに、ジャケットをより真直ぐにならせるようにしようとする傾向にあるジャケット又はレイヤー（ｌａｙｅｒ）を用いて。これはまた、ジャケットを囲んで、例えば曲げ径を限定するある種の非金属スプリングを用いることによって達成され得る。  ２．  解決法１と同様に機能するように、ジャケット内で、ファイバーに隣り合って、好ましくは十分に強くかつ弾性を有する非金属ワイヤを加えることによって。  ３．  特許サマリーに述べたように、電話機コードと同様な、ラセン形状の光ファイバー及びジャケットを用いることによって（しかしラセンの径は、ある角度を超えて曲がることを避けるために、好ましくは電話機コードの場合より大きい）。  ４．  ジャケット内又はその内側又は外側に、より硬い材料の多くの小さなセクションを用いることによって。これによりジャケットが主に、より硬い材料セクションとより硬い材料セクションとの間の領域で、部分的にのみ曲がることができる。これをなす２，３の方法は、例えば、それぞれのリングが部分的に次のそれに含まれているように（図３ｄに示すように）、又は紐（ｓｔｒｉｎｇ）上の小さなビーズのようにリングが互いに接触しているように、従ってこれらにより曲げを制限しているように、ジャケットの周囲の小さなプラスチックの同心のリングによってである。又は例えば、コンサチーナ状の封筒（ｃｏｎｃｅｒｔｉｎａ−ｌｉｋｅ ｅｎｖｅｌｏｐｅ）−やや、曲げることができるドリンクストローに似ている（しかし好ましくはより小さな径を用いることによって）−によってである。又は曲げがある場所及びある角度に限定されるように（図３ｅに示すように）、例えば、より硬い材料内において、種々の間隔で（及び好ましくは種々の方向で）の小さな好ましくはＶ−形の溝によってである。  ５．  束ねられまた開放され得る束（ｂｕｎｄｌｅｓ）を用いて（例えば、電話機又はヘッドセット又は電話機側インターフェースの一部分の回りに、又は好ましくは電話機又はヘッドセット又は電話機側インターフェースに取付けられているボックス内の小さなホイールの回りに、好ましくは、スプリング及び、望まれるまで、スプリングがそれを引き戻すことを防止することができる機械的要素と共に）。  ６．  両端部で容易な接続が維持される一方フレキシビリティを増加するために、メインボディではより細くかつ端部でより広くなった、一本又は複数本の光ファイバーを用いて（図３ｆに示すように）。これらの種々の組み合わせ及び他の解決法がまた可能である。これに加えて好ましくは、もし損傷したならば、ファイバー及び／又はジャケットは、モジュラーとして、容易に取り替えられ得る。
【００１６】
他の可能な変形例は、例えば、ヘッドセット（２２）と電話機側インターフェース（２４）との間でコミュニケートするための、光ファイバーなしに、赤外線放射、又は例えば可視光のような、適当な強さを持った、他の何らかの便利な波長又は電磁周波数を、用いることである。従って接続（２３）は、光ファイバーに代えて空気となる。もし電磁周波数が使用されるならば、そのときは無論、光エンコーダ（２２ｄ，２４ｂ）の代わりに、電磁送信機（ｅｌｅｃｔｒｏｍａｇｎｅｔｉｃ ｔｒａｎｓｍｉｔｔｅｒ）が使用され、また光デコーダ（２２ｄ，２４ａ）の代わりに、電磁受信機（ｅｌｅｃｔｒｏｍａｇｎｅｔｉｃ ｒｅｃｅｉｖｅｒ）が使用される。このような変形例において好ましくは、エネルギー効率は、同様に、上述の方法のいくつか又は全てを用いて達成され、また、好ましくは光の放出が望まない方向に行くのを防ぐために、リフレクター（ｒｅｆｌｅｃｔｏｒ）又はレンズが使用される。しかしながら、好ましくはまた、プライバシーを改善し及び近くの使用者の装置との混信を避けるために、いくつかの機構が付け加えられる。これをなすために、好ましくはそれぞれのヘッドセット装置に対して異なった方法で、好ましくはヘッドセット（２２）と電話機側インターフェース（２４）との間のコミュニケーションは、暗号化され、また好ましくは、近くの他の干渉している赤外線装置との衝突を避けるために、装置間で、自動周波数選択（ａｕｔｏｍａｔｉｃ ｆｒｅｑｕｅｎｃｙ ｓｅｌｅｃｔｉｏｎ）が使用される。例えば可視光又は赤外線で、周波数選択を達成する一つの好ましい方法は、図３ｇに視覚的に示すように、適当なＬＥＤが容易に選ばれ得るように、例えば、好ましくはそれぞれ異なった周波数の数多くのＬＢＤを持った、ＬＥＤアレイ（ａｒｒａｙ）又はマトリックス（ｍａｔｒｉｘ）（例えば、チップで）を用いることである。これを行う他の好ましい方法は、例えば、ＬＥＤのより小さなセットを用いかつ好ましくは、光を一体に結合するレンズ及びプリズムと共に、カラーＬＣＤスクリーン上のカラーピクセルと同様な、望ましい結合された周波数を作るための種々の出力結合（ｐｏｗｅｒ ｃｏｍｂｉｎａｔｉｏｎ）を用いることである。これを達成する他の可能な方法は、例えば、周波数を変えるために、異なったフィルター又はフィルターの組み合わせが自動的に選択されかつ移動される（例えば、回転によって）ように、所定範囲の周波数をカバーする一つまたは複数のＬＥＤの前に、異なった色のフィルターのセットを用いることである。同様に、これらの解決法において光デコーダは、例えば、それぞれが与えられた周波数に反応する、検出器（ｄｅｔｅｃｔｏｒ）の同様のマトリックス（ｍａｔｒｉｘ）を用いることによって、又は検出器のより小さなセットを用いかつそれらのそれぞれにおいて振幅（ａｍｐｌｉｔｕｄｅ）を測定することによって、又は検出器（ｄｅｔｅｃｔｏｒ）の前に変化可能なフィルターの同様なセットを用いることによって、好ましくは選ばれた周波数を同様にチューニング（ｔｕｎｉｎｇ−ｉｎ）する能力がある。他の装置との衝突を避ける他の可能な方法は、例えば、周波数ホッピング（ｆｒｅｑｕｅｎｃｙ ｈｏｐｐｉｎｇ）に代えて、例えば、より太い又は細いビット（ｂｉｔ）を用いるような又はコミュニケーションのそれぞれのフレーム（ｆｒａｍｅ）内で異なったビット配置（ｂｉｔ ｐｌａｃｅｍｅｎｔ）を用いるような、異なった放送特性（ｂｒｏａｄｃａｓｔ ｃｈａｒａｃｔｅｒｉｓｔｉｃｓ）の選択を用いることである。これらの解決法の種々の組み合わせがまた用いられ得る。光ファイバーを用いることなく空中を通じてこれらの信号を用いる変形例はまた、例えば電話機とヘッドセットとの間の逆転及び他の装置とのコミュニケーションを含めて、図３を参照して説明された他の変形例との組み合わせにおいて、用いられ得る。
【００１７】
図３ａを参照して、我々は、マイクロホン（１３９ａ）が使用者（１３０）の口（１３８）に達するように使用者の耳（１３４）近くの回路（１３１）から小さな空気チューブ（１３２ａ）によって延ばされている、可能な変形例のグラフィカルなイラストレーションを示す。好ましくは回路（１３１）を伴ったイヤピース（ｅａｒｐｉｅｃｅ）は、例えばフック（１３５）を用いて、使用者の耳（１３４）に結合させられる。１３３ａは光ファイバーである。
【００１８】
図３ｂを参照して、我々は、ヘッドセットは好ましくは、使用者の耳（１３４）により小さな重さがかかるように、例えば、使用者の襟（ｃｏｌｌａｒ）に取付けられた部分（１３６）に，バッテリーを含めてその回路の大部分を含んでいる、可能な変形例のグラフィカルなイラストレーションを示す。マイクロホン（１３９ｂ）は例えば、電気ワイヤ（ｅｌｅｃｔｒｉｃａｌ ｗｉｒｅ）（ｌ３２ｂ）によってイヤピース（１３１）に接続されることができる。また好ましくはイヤピース（１３１）はワイヤ（ｗｉｒｅ） （１３７）によって、より下方の部分（１３６）に接続される。また光ファイバー（１３３ｂ）はその部分１３６から延出する。
【００１９】
図３ｃを参照して、我々は、ヘッドセットはまた、電話機（３６）及び例えばコンピュータ，プリンタ，ファックス装置等の他の装置（３１）に及び／又はこれらからデータを伝達するために、使用される、２つの好ましい方法のイラストレーションを示す。好ましくはこれは、追加的な一個又は複数のコネクター及び好ましくは適当なデータ・マルチプレクシング（ｄａｔａ ｍｕｌｔｉｐｌｅｘｉｎｇ）及び／又は追加的なバンド幅（ｂａｎｄｗｉｄｔｈ）を伴った、一本又は複数本の光ファイバーの追加的な分岐によって達成される。分岐は、例えば、ファイバー３４ａ及び３３ａへ向かう電話機インターフェース・ユニット（３５ａ）において、又は他の一つ又は複数の装置（３１）へ向かう接続（３４ｂ）を伴ったヘッドセット（３２）の使用者側において、起こり得る。接続３４ａ及び３４ｂはまた、例えば電気的であることができるが、しかしこれはあまり望ましくない。この場合、好ましくは、より速いＬＥＤ及び検出器（ｄｅｔｅｃｔｏｒ）が使用される。
【００２０】
図３ｄを参照して、我々は、それぞれのリングは部分的に次のそれに含まれており、従って可能な曲げの径が限定されるように、光ファイバーのジャケット（４０）の周囲に、小さなプラスチックの同心のリング（例えば、４１．．４４）を用いる、可能な変形例のグラフィカルなイラストレーションを示す。
【００２１】
図３ｅを参照して、我々は、曲げが所定の位置及び所定の角度に限定されるように、例えば、光ファイバーのジャケット上のより硬い材料（５０）内に種々の間隔（及び好ましくは種々の方向で）で、小さなＶ−形の溝（例えば、５１−５４）を用いる、可能な変形例のグラフィカルなイラストレーションを示す。
【００２２】
図３ｆを参照して、我々は、例えば、両端部で依然として容易な接続を維持する一方、フレキシビリティを増加するために、メインボディ（６０）でより細く及び両端部（６１，６２）でより広くなるファイバーを使用する、可能な変形例のグラフィカルなイラストレーションを示す。この変形例の他の可能な変形例は例えば、ファイバーが一方側−好ましくは光エンコーダダイオードによって使用される側−でのみ広いことである。
【００２３】
図３ｇを参照して、我々は、ふさわしいＬＥＤが容易に選ばれるように、好ましくはそれぞれ異なった周波数の数多くのＬＥＤを有する、チップ（７０）上のＬＥＤのマトリックス（ｍａｔｒｉｘ）（７１）を用いることによって、光又は赤外線で周波数選択を達成する好ましい方法のイラストレーションを示す。好ましくはこれらのＬＥＤはチップの表面上にあるがしかし、もしチップが適当な溝又は透明な部分を有していれば、それらはまた、例えば、内側層内にあることができる。（もちろん、ＬＥＤの実際の数及び仕様は、イラストレーション目的のために示された数とは、異なることができる。
【００２４】
本発明は限定された数の実施例に関して説明されているが、当業者にとって明かであるように、本発明のスコープ内に含まれる、本発明の多くの変形例，修正，拡張及び他の適用がなされ得ることが予想されるだろう。
【図面の簡単な説明】
【図１】
図１は、好ましい実施例のシステム概念図である。
【図２】
図２は、音伝導チューブ又はコード及びそのインターフェース（第１の方法）の好ましい構造の概念図である。
【図３】
図３は、光コミュニケーション及びそのインターフェース（第２の方法）の好ましい構造の概念図である。
【図３ａ】
図３ａは、小さなエアー・チューブを用いて、マイクロホンが、耳の近くの回路から使用者の口に達するように延ばされている、可能な実施例のグラフィカル説明図である。
【図３ｂ】
図３ｂは、使用者の耳により小さな重さがかかるように、ヘッドセットが、好ましくは、例えば使用者のカラー（襟）に取付けられた部分に、その回路の大部分及びバッテリーを含む、可能な実施例のグラフィカル説明図である。
【図３ｃ】
図３ｃは、ヘッドセットが、例えばコンピュータ，プリンタ，ファックス装置等の他のデバイスにデータを送るためにも用いられ得る、２つの好ましい方法の説明図である。
【図３ｄ】
図３ｄは、各リングが部分的に次のリング内に含まれるように、光ファイバーのジャケットを囲んで小さなプラスチックの同心状のリングを用いる、可能なバリエーションの説明図である。
【図３ｅ】
図３ｅは、例えば、光ファイバーのジャケット上のより硬い材料内に、種々の間隔で、小さなＶ形の溝を設ける、可能なバリエーションの説明図である。
【図３ｆ】
図３ｆは、両端部での接続容易性を確保する一方柔軟性を増加するために、例えば、メインボティでより細く両端部でより太いファイバーを用いる、可能なバリエーションの説明図である。
【図３ｇ】
図３ｇは、ふさわしいＬＥＤが容易に選ばれるように、それぞれが異なった周波数の好ましくは多数のＬＥＤを持ったＬＥＤアレイを用いて、光又は赤外線の周波数選択を達成する、好ましい方法の説明図である。
【国際公開パンフレット】
2004522328.tif 000003
2004522328.tif 000004
2004522328.tif 000005
2004522328.tif 000006
2004522328.tif 000007
2004522328.tif 000008
2004522328.tif 000009
2004522328.tif 000010
2004522328.tif 000011
2004522328.tif 000012
2004522328.tif 000013
2004522328.tif 000014
2004522328.tif 000015
2004522328.tif 000016
2004522328.tif 000017
2004522328.tif 000018
2004522328.tif 000019
2004522328.tif 000020
2004522328.tif 000021
2004522328.tif 000022
2004522328.tif 000023
2004522328.tif 000024
2004522328.tif 000025
2004522328.tif 000026
2004522328.tif 000027
2004522328.tif 000028
【国際公開パンフレット（コレクトバージョン）】
2004522328.tif 000029
【国際調査報告】
2004522328.tif 000030
2004522328.tif 000031